(57)【特許請求の範囲】
【請求項１】
少なくとも前パネルと後パネルと中央パネルとによって形成されており、前記前パネルと前記後パネルとが幅方向と上下方向とを有していて前記幅方向の両側で互いに接合することにより環状の胴周り域が形成され、前記中央パネルが前記上下方向において二つ折りにされていて上方に位置する両端部の一方が前記前パネルに前記胴周り域の外側から接合する一方、前記両端部のもう一方が前記後パネルに前記胴周り域の外側から接合しているパンツ型着用物品であって、
前記前パネルと前記後パネルとのうちの少なくとも一方は、前記幅方向へ伸長状態で延びる複数条の弾性部材を含み、前記弾性部材が収縮すると前記幅方向において山部と谷部とが反復するひだが生じるように形成されており、
前記中央パネルは、前記両端部のうちの前記一方が前記前パネルに接着剤を介して接合し、前記両端部のうちのもう一方が前記後パネルに接着剤を介して接合しており、
前記両端部のそれぞれは、前記幅方向へ延びる端縁と、前記上下方向へ延びる両側縁とを有していて、前記両側縁のそれぞれと前記端縁とが交差して前記両端部それぞれに一対の隅部が形成され、前記隅部の少なくとも一つによって前記ひだと重なり合いかつ前記胴周り域の外側に対して非接合状態にあって指先で摘むことが可能な摘持域が形成されることを特徴とする前記着用物品。
【請求項２】
前記摘持域は、前記隅部を形成している前記端縁からの前記上下方向の寸法と、前記隅部を形成している前記側縁からの前記幅方向の寸法とが５〜４０ｍｍの範囲にある請求項１記載の着用物品。
【請求項３】
前記前パネルおよび前記後パネルにおける前記胴周り域の外側には、前記弾性部材が収縮することによって前記ひだが形成される請求項２記載の着用物品。
【請求項４】
前記中央パネルの前記前端部の前記摘持域を、前記前パネルに重ねた場合には、前記摘持域と重なり合う前記前パネルの部位に、前記山部と前記谷部とのうちのいずれかが少なくとも二つ形成される請求項２または３に記載の着用物品。
【請求項５】
前記前パネルと前記後パネルとのうちの少なくとも一方のパネルは、前記幅方向において前記中央パネルと交差しかつ互いに接合する前記両側にまで延びる端縁を有し、前記中央パネルには、前記両側縁の一方と前記端縁とが交差する点を含み前記幅方向における前記両側縁の一方からの寸法と前記上下方向における前記端縁からの寸法とが少なくとも１０ｍｍであって前記胴周り域に対して非接合状態にある追加の摘持域が形成されている請求項２〜４のいずれかに記載の着用物品。
【請求項６】
前記中央パネルは、前記着用物品の内側に位置する内面シートと外側に位置する外面シートとを有し、前記内面シートの内側には前記両側縁のそれぞれに沿って前記両端部にまで延びる一対の防漏堤が形成され、前記隅部では前記防漏堤と前記内面シートと前記外面シートとが重なり合い互いに接合して前記摘持域の少なくとも一部分を形成している請求項２〜５のいずれかに記載の着用物品。
【請求項７】
前記摘持域が、前記範囲を越えて前記端縁および前記側縁の少なくとも一方に並行して延びている請求項２〜６のいずれかに記載の着用物品。
【発明の詳細な説明】
【技術分野】
【０００１】
この発明は、パンツ型着用物品に関し、より詳しくはパンツ型着用物品を形成している複数のパネルを互いに分離することが容易な前記着用物品に関する。
【背景技術】
【０００２】
パンツ型の着用物品であって、それに使用されている複数の部材が互いに分離可能に形成されているものは従来公知である。例えば、特開２００６−５１２４０号公報（特許文献１）に記載された簡易おむつはパンツ型のもので、環状に形成された胴周り部材と、平らなパッド状の股間部材とを有している。股間部材はそれをＵ字状に湾曲させ、股間部材と胴周り部材との所要部位に予め取り付けられている面ファスナ等のファスナ部材を使用して胴周り部材に着脱する。
【先行技術文献】
【特許文献】
【０００３】
【特許文献１】特開２００６−５１２４０号公報
【発明の概要】
【発明が解決しようとする課題】
【０００４】
着用物品が、それを形成している部材どうしの着脱を可能にする手段を持たない場合においても、部材どうしを分離させることができると使用後の着用物品の処理のし易さが向上するという場合がある。この発明によれば、部材どうしを分離させることが容易なパンツ型着用物品の製造が可能になる。
【課題を解決するための手段】
【０００５】
この発明において対象となるのは、少なくとも前パネルと後パネルと中央パネルとによって形成されており、前記前パネルと前記後パネルとが幅方向と上下方向とを有していて前記幅方向の両側で互いに接合することにより環状の胴周り域が形成され、前記中央パネルが前記上下方向において二つ折りにされていて上方に位置する両端部の一方が前記前パネルに前記胴周り域の外側から接合する一方、前記両端部のもう一方が前記後パネルに前記胴周り域の外側から接合しているパンツ型着用物品である。
【０００６】
かかる着用物品において、この発明が特徴とするところは、次のとおりである。前記前パネルと前記後パネルとのうちの少なくとも一方は、前記幅方向へ伸長状態で延びる複数条の弾性部材を含み、前記弾性部材が収縮すると前記幅方向において山部と谷部とが反復するひだが生じるように形成されている。前記中央パネルは、前記両端部のうちの前記一方が前記前パネルに接着剤を介して接合し、前記両端部のうちのもう一方が前記後パネルに接着剤を介して接合している。前記両端部のそれぞれは、前記幅方向へ延びる端縁と、前記上下方向へ延びる両側縁とを有していて、前記両側縁のそれぞれと前記端縁とが交差して前記両端部それぞれに一対の隅部が形成され、前記隅部の少なくとも一つによって前記ひだと重なり合いかつ前記胴周り域の外側に対して非接合状態にあって指先で摘むことが可能な摘持域が形成される。
【０００７】
この発明の実施形態の一つにおいて、前記摘持域は、前記隅部を形成している前記端縁からの前記上下方向の寸法と、前記隅部を形成している前記側縁からの前記幅方向の寸法とが５〜４０ｍｍの範囲にある。
【０００８】
この発明の実施形態の一つにおいて、前記前パネルおよび前記後パネルにおける前記胴周り域の外側には、前記弾性部材が収縮することによって前記ひだが形成される。
【０００９】
この発明の実施形態の他の一つにおいて、前記中央パネルの前記前端部の前記摘持域を、前記前パネルに重ねた場合には、前記摘持域と重なり合う前記前パネルの部位に、前記山部と前記谷部とのうちのいずれかが少なくとも二つ形成される。
【００１０】
この発明の実施形態の他の一つにおいて、前記前パネルと前記後パネルとのうちの少なくとも一方のパネルは、前記幅方向において前記中央パネルと交差しかつ互いに接合する前記両側にまで延びる端縁を有し、前記中央パネルには、前記両側縁の一方と前記端縁とが交差する点を含み前記幅方向における前記両側縁の一方からの寸法と前記上下方向における前記端縁からの寸法とが少なくとも１０ｍｍであって前記胴周り域に対して非接合状態にある追加の摘持域が形成されている。
【００１１】
この発明の実施形態の他の一つにおいて、前記中央パネルは、前記着用物品の内側に位置する内面シートと外側に位置する外面シートとを有し、前記内面シートの内側には前記両側縁のそれぞれに沿って前記両端部にまで延びる一対の防漏堤が形成され、前記隅部では前記防漏堤と前記内面シートと前記外面シートとが重なり合い互いに接合して前記摘持域の少なくとも一部分を形成している。
【００１２】
この発明の実施形態の他の一つにおいて、前記摘持域が、前記範囲を越えて前記端縁および前記側縁の少なくとも一方に並行して延びている。
【発明の効果】
【００１３】
この発明に係るパンツ型着用物品は、前パネルと後パネルとのそれぞれに中央パネルの両端部それぞれが接合している。両端部のそれぞれでは、両側縁のそれぞれと端縁とが交差して一対の隅部が形成され、隅部のうちの少なくとも一つによって、指先で摘むことが容易である摘持域が形成されるから、その摘持域を一方の手で摘み、もう一方の手では前パネルと後パネルとによって形成されている胴周り域を持ち、両手で摘持域と胴周り域とを引き離すようにすれば、中央パネルの端部を胴周り域から分離することができる。
【図面の簡単な説明】
【００１４】
【図１】パンツ型着用物品の実施形態の一例であるパンツ型おむつの部分破断斜視図。
【図２】展開した状態にあるパンツ型おむつの部分破断平面図。
【図３】図１のＩＩＩ−ＩＩＩ線切断面を示す図。
【図４】図１のＩＶ−ＩＶ線切断面を示す図。
【図５】図２のＶ−Ｖ線切断面を示す図。
【図６】図１のＶＩ−ＶＩ線切断面を使用して着用物品の一態様を例示する図。
【図７】図６の態様を含むパンツ型おむつについての図２と同様な図。
【図８】図７の態様とは異なる態様のパンツ型おむつについての図２と同様な図。
【発明を実施するための形態】
【００１５】
添付の図面を参照して、パンツ型着用物品の一例であるパンツ型おむつによってこの発明の実施形態を説明すると、以下のとおりである。
【００１６】
図１は、パンツ型着用物品の一例である使い捨てのパンツ型おむつ１が着用状態にあるときの部分破断斜視図である。おむつ１は、少なくとも前パネル７と、後パネル８と、中央パネル６とによって形成されているものであり、かかるおむつ１では、幅方向Ｘと前後方向Ｙと上下方向Ｚとを有していて前後方向Ｙの前方に位置する前パネル７と後方に位置する後パネル８との側縁部７ａ，８ａが幅方向Ｘの両側それぞれで合掌状に重なり合い接合部９において接合することにより環状の胴周り域１１と胴周り開口１２とを形成している。おむつ１はまた、中央パネル６を含み、その中央パネル６は、前後端部４２，４３（図２参照）のそれぞれが上方に位置するように上下方向Ｙへ二つ折りにされている。前端部４２は、胴周り域１１の外側から前パネル７に第２ホットメルト接着剤６２を介して接合し、後端部４３は、胴周り域１１の外側から後パネル８に第３ホットメルト接着剤６３（図２参照）を介して接合している。このように接合している前後パネル７，８と中央パネル６とは一対の脚周り開口１３を形成している。図１において、前パネル７は、おむつ着用者（図示せず）の肌と向かい合う内面シート１６と、着衣と向かい合う外面シート１７と、これら内外面シート１６，１７にサンドウィッチされている前方胴周り弾性部材１８とを含んでいる。内外面シート１６，１７は、第４ホットメルト接着剤６４（図２参照）を介して互いに接合し、前方胴周り弾性部材１８は内外面シート１６，１７の少なくとも一方にホットメルト接着剤（図示せず）を介して伸長状態で接合している。図１におけるその前方胴周り弾性部材１８は、胴周り域１１の周方向において収縮した状態にあって、外面シート１７には周方向において山部７１と谷部７２（図３参照）とが反復した状態にあるひだ７０が形成されている。
【００１７】
図２は、前パネル７と後パネル８とを接合部９において剥離して前後パネル７，８と中央パネル６とを幅方向Ｘと前後方向Ｙとに伸展して得られる展開おむつ１ａの部分破断平面図である。前後パネル７，８と中央パネル６とは、図１において上下方向Ｚへ向いていた向きが図２では前後方向Ｙへ向くように、その向きが変化している。図２において、これら前パネル７、後パネル８、中央パネル６の形状は幅方向Ｘの寸法を二等分する中心線Ｐに関して対称に形成されている。
【００１８】
図２の前パネル７における前方胴周り弾性部材１８は、図１において胴周り開口１２の縁１２ａに沿って胴周り方向へ延びる互いに接近した複数条の上方弾性部材１８ａと、図１において上下方向Ｚへ互いに大きく離間して胴周り方向へ延びる複数条の下方弾性部材１８ｂとを含んでいる。図２において、前方胴周り弾性部材１８は幅方向Ｘに伸長された状態にあり、前パネル７の内面シート１６と外面シート１７とは平坦な状態にあるが、その前方胴周り弾性部材１８が収縮すると内外面シート１６，１７のうちの少なくとも外面シート１７にはひだ７０が形成される。
【００１９】
図２の後パネル８は、着用者の肌と向かい合う内面シート２１と、着衣と向かい合う外面シート２２と、これら内外面シート２１，２２にサンドウィッチされている後方胴周り弾性部材２３とを含んでいる。内外面シート２１，２２は第４ホットメルト接着剤６４を介して互いに接合しており、後方胴周り弾性部材２３は内外面シート２１，２２のうちの少なくとも一方にホットメルト接着剤（図示せず）を介して幅方向Ｘへ伸長された状態で接合している。図２において内面シート２１と外面シート２２とは平坦な状態にあるが、前パネル７の場合と同様に、後方胴周り弾性部材２３が収縮すると内外面シー２１，２２のうちの少なくとも外面シート２２には、図１の胴周り域１１の周方向において山部７１と谷部７２とが反復した状態にあるひだ７０（図１，３参照）が形成される。後方胴周り弾性部材２３は、図１において胴周り開口１２の縁に沿って胴周り方向へ延びる互いに接近した複数条の上方弾性部材２３ａと、図１において上方弾性部材２３ａよりも下方にあって上下方向Ｚへ互いに大きく離間して胴周り方向へ延びる複数条の下方弾性部材２３ｂとを含んでいる。
【００２０】
中央パネル６は、透液性の内面シート３１と、不透液性の外面シート３２と、内面シート３１と外面シート３２との間に介在する体液吸収性の芯材３３とを含んでいる。外面シート３２は、その両側部分がおむつ１の内側へ折り返されていて、幅方向Ｘに一対の防漏壁３４を形成している。防漏壁３４は第１ホットメルト接着剤６１を介して内面シート３１および／または外面シート３２に接合している前後端部３５ａ，３５ｂと、着用者の肌へ接近または接触することが可能であって前後方向Ｙへ延びる近位縁３６と、外面シート３２の折り返し部分であって前後方向Ｙへ延びる遠位縁３７とを有している。防漏壁３４には、近位縁３６に沿ってスリーブ３８が形成されており、少なくとも一条の弾性部材３９が前後方向Ｙに伸長された状態でホットメルト接着剤（図示せず）を介してスリーブ３８の内面に取り付けられている。
【００２１】
中央パネル６はまた、前端部４２と、後端部４３と、これら両端部４２，４３の間に介在する中間部４１とを有している。前端部４２は胴周り域１１（図１参照）の外側から前パネル７の外面シート１７に重なり、後端部４３は胴周り域１１の外側から後パネル８に重なっている。中間部４１は、前後方向Ｙにおいて、前パネル７と後パネル８との間にあって、おむつ１の股下域を形成している。
【００２２】
前端部４２は、内面シート３１と外面シート３２とのうちの少なくとも外面シート３２によって画成されている前方端縁４２ａと、幅方向Ｘの両側に位置する一対の前方側縁４２ｂと、これら前方端縁４２ａと前方側縁４２ｂとが交差することにより画成されて幅方向Ｘで一対を形成する前方隅部４２ｃとを含んでいる。図示例において、前方側縁４２ｂは、防漏壁３４の遠位縁３７の延長上にある。前端部４２は、第２ホットメルト接着剤６２を介して前パネル７の外面シート１７に接合している。
【００２３】
後端部４３は、内面シート３１と外面シート３２とのうちの少なくとも外面シート３２によって画成されている後方端縁４３ａと、幅方向Ｘの両側に位置する一対の後方側縁４３ｂと、これら後方端縁４３ａと後方側縁４３ｂとが交差することによって画成され幅方向Ｘで一対を形成する後方隅部４３ｃとを含んでいる。図示例において、後方側縁４３ｂは、防漏壁３４の遠位縁３７の延長上にある。その後端部４３は、第３ホットメルト接着剤６３を介して後パネル８の外面シート２２に接合している。なお、図２の後端部４３では、内面シート３１を部分的に破断することにより芯材３３の一部分が図示されている。芯材３３を被覆している内面シート３１と外面シート３２とは、芯材３３から図２における後方へ延出する部分において重なり合い、第５ホットメルト接着剤６５を介して接合している。
【００２４】
かような展開おむつ１ａにおいて、前端部４２と後端部４３との一対の前方隅部４２ｃと一対の後方隅部４３ｃとは、それら隅部のうちの少なくとも一つの隅部が胴周り域１１の外側に対して非接合状態にあって指先で摘むことが容易な摘持域８０を形成する。摘持域８０のうちで前端部４２に形成されるのは前方摘持域８０ａであり、後端部４３に形成されるのは後方摘持域８０ｂである。かかる摘持域８０は、前方側縁４２ｂまたは後方側縁４３ｂからの幅方向Ｘの寸法Ａと前方端縁４２ａまたは後方端縁４３ａからの前後方向Ｙの寸法Ｂとが５〜４０ｍｍの範囲にあり、より好ましくは１０〜４０ｍｍの範囲にある。前端部４２および後端部４３は、摘持域８０を除いた部分のうちの全体または一部が第２ホットメルト接着剤６２または第３ホットメルト接着剤６３を介して胴周り域１１に接合している。図２の例においては、一対の前方隅部４２ｃと一対の後方隅部４３ｃとが摘持域８０ａと摘持域８０ｂとを形成することができるように胴周り域１１に対して非接合状態にあり、前端部４２と後端部４３とは、摘持域８０ａと摘持域８０ｂとを除いた部分の全体が胴周り域１１に対して接合状態にある。
【００２５】
図３は、図１のＩＩＩ−ＩＩＩ線切断面を示す図であって、ＩＩＩ−ＩＩＩ線は中央パネル６の前端部４２における前方隅部４２ｃによって形成された摘持域８０ａの一つを横断している。そのＩＩＩ−ＩＩＩ線は、参考として、図２にも示されている。図３において第４ホットメルト接着剤６４を介して互いに接合している内面シート１６と外面シート１７とによって形成された前パネル７の外面には、山部７１と谷部７２とが幅方向Ｘにおいて交互に反復することによってひだ７０が形成されている。中央パネル６の前端部４２は、第２ホットメルト接着剤６２を介して外面シート１７に接合しているが、前端部４２のうちの前方隅部４２ｃは外面シート１７に対して非接合状態にあって、前方摘持域８０ａを形成している。前方摘持域８０ａにおける寸法Ａは、幅方向Ｘにおける前方側縁４２ｂからの寸法である。前端部４２ではまた、中央パネル６における内面シート３１と外面シート３２とが第５ホットメルト接着剤６５を介して接合しており、防漏壁３４を形成している部分の外面シート３２は内面シート３１に対して第１ホットメルト接着剤６１を介して接合している。好ましい前方摘持域８０ａを有するおむつ１では、前方摘持域８０ａを前パネル７に重ねたときに、前方摘持域８０ａと重なり合う前パネル７の部位７ａに山部７１と谷部７２とのうちのいずれかが少なくとも二つ形成されていて、前方摘持域８０ａを画成している前方端縁４２ａおよび前方側縁４２ｂと前パネル７との間には間隙が形成され、おむつ１の外側から前方摘持域８０ａを識別することと摘持することとが容易になっている。その前方摘持域８０ａはまた、外面シート３２どうしが重なり合っていることによって、または内面シート３１を外面シート３２どうしがサンドウィッチしていることによって、摘持することが容易になるような厚さとこわさとを兼ね備えることもできる。
【００２６】
図４は、図１のＩＶ−ＩＶ線切断面を示しており、そのＩＶ−ＩＶ線は、参考として、図２にも記載されている。中央パネル６の前端部４２は、前方摘持域８０ａの周辺部分が第２ホットメルト接着剤６２を介して前パネル７の外面シート１７に接合している（図２を併せて参照）。これら中央パネル６の前端部４２と外面シート１７とが接合する範囲は、第２ホットメルト接着剤６２の塗布範囲として示されるもので、図２に例示のその塗布範囲は、一対の前方摘持域８０ａを形成している前方隅部４２ｃを除いた前端部４２のほぼ全体である。前端部４２と同様に、中央パネル６の後端部４３が後パネル８に接合する範囲は、図２における第３ホットメルト接着剤６３の塗布範囲として示されるもので、図２に例示のその塗布範囲は、一対の後方摘持域８０ｂを形成している後方隅部４３ｃを除いた後端部４３のほぼ全体である。
【００２７】
図５は、図２のＶ−Ｖ線切断面を示す図である。中央パネル６における内面シート３１は、第６ホットメルト接着剤６６を介して芯材３３の内面に接合している。外面シート３２は、第５ホットメルト接着剤６５を介して芯材３３の外面に接合し、芯材３３から幅方向Ｘへ延出する部分が内面シート３１に接合している。外面シート３２はまた、内面シート３１を越えて幅方向Ｘへ延びる部分が内面シート３１と重なり合うように折り返されて防漏壁３４を形成している。防漏壁３４は、近位縁３６と遠位縁３７とを有し、近位縁３６におけるスリーブ３８の内側では弾性部材３９が図２における前後方向Ｙへ伸長状態で延びている。仮想線の防漏壁３４は、図１に例示の着用状態にあるおむつ１において、弾性部材３９が収縮することによって内面シート３１から起立している防漏壁３４を示している。
【００２８】
このように形成されているおむつ１では、前方摘持域８０ａの一つを一方の手で摘み、もう一方の手では前パネル７を持って前端部４２を前パネル７から引き離すようにすると、前端部４２を前パネル７から分離させることができる。後方摘持域８０ｂについても、その一つを摘んで後端部４３を後パネル８から引き離すようにすると、後端部４３を後パネル８から分離させることができる。なお、この実施形態で前端部４２を前パネル７から分離させるというときには、第２ホットメルト接着剤６２を介して前パネル７に接合している前端部４２を前パネル７から剥離させる態様を含む他に、前端部４２を形成している内面シート３１や外面シート３２がそれに密着している第２ホットメルト接着剤６２の周囲で破れたり、前パネル７を形成している外面シート１７がそれに密着している第２ホットメルト接着剤６２の周囲で破れたりすることによって前端部４２と前パネル７とを個別にすることができる態様をも含んでいる。
【００２９】
前方摘持域８０ａを使用して前端部４２を前パネル７から分離させることを可能にするために、第２ホットメルト接着剤６２は、前端部４２に対する単位面積当たりの塗布量を適宜調整することができる他に、塗布パターンをドット状やスパイラル状、ビード状等の適宜のパターンにすることができる。また、第２ホットメルト接着剤６２の塗布範囲が、図２の例においては前方摘持域８０ａを除いた前パネル７の全体であったが、前端部４２に接着剤の塗布を必要としない部分があるときには、その部分については第２ホットメルト接着剤６２を塗布しないことによって前端部４２における接着剤の塗布面積や塗布量を少なくし、前端部４２の前パネル７からの分離を容易にすることができる。
【００３０】
また、この実施形態において、中央パネル６の後端部４３を後パネル８から分離させるというときには、前端部４２を前パネル７から分離させるというときの態様と同じ態様を含んでいる。また、後方摘持域８０ｂを使用して後端部４３を後パネル８から分離させることを可能にするためには、第３ホットメルト接着剤６３を第２ホットメルト接着剤６２と同じ態様で使用することができる。
【００３１】
前パネル７および後パネル８のいずれかが摘持域８０を持つ必要のないおむつ１にあっては、摘持域８０の摘持を容易にすることを目的として外面シート１７や外面シート２２にひだ７０を形成することは不要であるから、そのような前パネル７や後パネル８では弾性部材１８や弾性部材２３の少なくとも一部分を省いたり、伸長・収縮を反復するときにひだを形成することのない弾性シートを外面シート１７や外面シート２２として使用することができる。
【００３２】
おむつ１における前パネル７の内面シート１６や外面シート１７、後パネル８の内面シート２１や外面シート２２には熱可塑性合成繊維で形成された不織布やプラスチックフィルム、これら不織布とプラスチックフィルムとの積層シート等を使用することができる。中央パネル６における内面シート３１には透液性を有する不織布や開孔プラスチックフィルム等を使用することができる。外面シート３２には、不透液性を有するプラスチックフィルムやこのフィルムと不織布との積層シート等を使用することができる。芯材３３には、粉砕パルプや粉砕パルプと高吸水性ポリマー粒子との混合物等の吸水性材料の集合体をティッシュペーパや透液性の不織布で被覆したものを使用することができる。
【００３３】
中央パネル６を胴周り域１１から分離することのできるおむつ１では、おむつ１の使用後に中央パネル６と胴周り域１１とを分別してそれぞれを再利用したり、廃棄したりすることができる。特に、中央パネル６が排泄物で汚れているときには、その汚れている中央パネル６を未だ汚れていない胴周り域１１とは別個のものとして廃棄できることは、衛生の面においても、資源再利用の面においても好ましい。なお、胴周り域１１が図示例の如く前パネル７と後パネル８とによって形成されている場合のおむつ１では、前パネル７と後パネル８とをそれらの接合域９において分離して、前パネル７と後パネル８とを別個に再利用したり、廃棄したりすることができるようにおむつ１を作ることも可能である。
【００３４】
図６，７において、図６は図１のＶＩ−ＶＩ線切断面によっておむつ１の一態様を例示する図であり、図７はその一態様を含む図２と同様な展開おむつ１ａの部分破断平面図である。ＶＩ−ＶＩ線は、図１の前パネル７において幅方向Ｘに延びる下端縁７ｄに沿って延びる線であり、その下端縁７ｄは、中央パネル６と交差して幅方向Ｘへ延びていて前パネル７の両側縁７ａにつながっている（図７を併せて参照）。図７が示す展開おむつ１ａの態様は、下端縁７ｄと下端縁７ｄに並行している部分とにおける前パネル７に対して中央パネル６における前端部４２がとり得る態様の一例であって、その前端部４２は、摘持域８０に加えて、下端縁７ｄとそれに並行している部分とに向かい合う部位４２ｄを前パネル７に対して非接合状態にしておくことができる。このような部位４２ｄは、前端部４２を前パネル７から分離させるときに使用することのできる第２の摘持域、換言すると摘持域８０に対する追加の摘持域を形成している部位ということができる。部位４２ｄはまた、図７の展開おむつ１ａにおいて前方側縁４２ｂと下端縁７ｄとが交差する点を含んでいて、幅方向Ｘにおける前方側縁４２ｂからの寸法Ｃが少なくとも１０ｍｍであり、前後方向Ｙにおける下端縁７ｄからの寸法Ｄが１０〜４０ｍｍの範囲にあることが好ましい。なお寸法Ｃの上限は、防漏堤３４の近位縁３６を越えることのない寸法であることが好ましい。
【００３５】
中央パネル６の後端部４３もまた、前端部４２と同様に、後パネル８の下端縁８ｄと下端縁８ｄに並行している部分とに向かい合う部位４３ｄを後パネル８に対して非接合状態にして、その部位４３ｄを第３の摘持域、換言すると摘持域８０に対する追加の摘持域として使用することができる。後パネル８の下端縁８ｄは、中央パネル６と交差して幅方向Ｘへ延びていて、後パネル８の両側縁８ａにつながっている。部位４３ｄは、図７の展開おむつ１ａにおいて下端縁８ｄと後パネル８の後方側縁４３ｂとが交差する点を含んでいて、幅方向Ｘにおける後方側縁４３ｂからの寸法Ｃは少なくとも１０ｍｍである。図７の前後方向Ｙにおける下端縁８ｄからの寸法Ｄは、少なくとも１０ｍｍ、より好ましくは１０〜４０ｍｍの範囲にある。なお寸法Ｃの上限は、防漏堤３４の近位縁３６を越えることのない寸法であることが好ましい。
【００３６】
部位４２ｄや部位４３ｄの摘持部位としての使用方法に格別の規定があるわけではないが、一例として、使用後のおむつ１において最初に中央パネル６の摘持域８０ｂを使用して後端部４３を後パネル８から分離させ、その後に中央パネル６の部位４２ｄを摘持部位として使用して中央パネル６を前パネル７から分離させることができる。このような例によるときには、使用することのない前端部４２の摘持域８０ａをおむつ１に設けておくことが不要になる。おむつ１が乳幼児用のものであるときには、着用者が摘持域８０ａを不必要に操作することがあり得るから、中央パネル６の前端部４２には摘持域８０ａを設けずに、第２の摘持域となる部位４２ｄを設けておき、後端部４２に摘持域８０ｂを設けておくことが好ましいという場合がある。ただし、おむつ１における摘持域８０を中央パネル６におけるいずれの隅部に設けるかということは、おむつ１の使用状態を勘案して製造者が設計すべき事項である。すなわち、摘持域８０は、中央パネル６における４つの隅部のうちの任意の数の隅部に設けることができる。また、摘持域８０と第２、第３の摘持域とをいかに組み合わせるかということもまた、製造者が設計すべき事項である。すなわち、おむつ１は第２、第３の摘持域を持たない態様と、第２、第３の摘持域のうちの少なくとも一方を持つ態様とのいずれかをとることができる。なお、図６，７の態様を有するおむつ１には、図１〜５に例示の態様の少なくとも一部分を適用することができる。
【００３７】
図８もまた、実施形態の一例を示す図２と同様な図である。図８の展開おむつ１ａにおいて、中央パネル６の前端部４２には、寸法Ｂを有していて一方の前方側縁４２ｂからもう一方の前方側縁４２ｂにまで延びる前方摘持域８０ａが形成されている。図１〜７のおむつ１および展開おむつ１ａにおいては、前端部４２および／または後端部４３の隅部に形成されていた前方摘持域８０ａおよび／または後方摘持域８０ｂを、図８の前端部４２に例示のごとく幅方向Ｘへ適宜の寸法だけ拡張することが可能である。図８にはまた、展開おむつ１ａの後端部４３に、寸法Ａを有していて後端部４３を縦断するように延びる後方摘持域８０ｂが形成されている。図１〜７のおむつ１および展開おむつ１ａにおいてはまた、前端部４２および／または後端部４３に形成されていた前方摘持域８０ａおよび／または後方摘持域８０ｂを、図８の後端部４３に例示のごとく前後方向Ｙへ適宜の寸法だけ拡張することが可能である。図示してはいないが、図１〜８のおむつ１および展開おむつ１ａにおいて、前方摘持域８０ａおよび／または後方摘持域８０ｂを幅方向Ｘと前後方向Ｙとの両方向へ適宜の寸法だけ拡張することも可能である。ただし、摘持域８０は、おむつ１を着用している乳幼児等が不必要に摘持することもあり得るので、寸法Ａ，Ｂを極力小さくしておくことが一般的には好ましい。
【００３８】
おむつ１を一例とするこの発明に係るパンツ型着用物品において、防漏壁３４を設けるべきか否かは製造者が設計すべき事項である。すなわち、図１〜８に例示、のおむつ１および展開おむつ１ａの態様は、防漏壁３４が形成されていない態様に代えることができる。そして、防漏壁３４が形成されていないおむつ１においては、遠位縁３７（図２参照）の存在していた部位が中央パネル６の中間部４１における側縁となり得る。また、図２の展開おむつ１ａにおいて、中央パネル６、前パネル７および後パネル８は、矩形のものとして例示されているが、これらパネル６，７，８は適宜の形状のものに代えることができる。図示例において芯材３３を含む中央パネル６は、芯材３３を含まない中央パネルに代えることができる。おむつ１において使用されているホットメルト接着剤のすべては、この発明の実施形態の一例において使用可能な接合手段を示すものであって、おむつ１等のパンツ型着用物品における作用・効果を損なわない限りにおいて、図示例のホットメルト接着剤をその他の接着剤に代えたり、接合すべき部材どうしを溶着させることに代えたりすることができる。また、おむつ１において使用されている第１〜第６ホットメルト接着剤６１〜６６という呼称は、ホットメルト接着剤をそれが使用されている部位毎に区別することを目的にするものであって、ホットメルト接着剤の種類の違いを意味するわけではなく、またホットメルト接着剤の使用における優先順位を意味するわけでもない。
【符号の説明】
【００３９】
１    パンツ型着用物品（おむつ）
６    中央パネル
７    前パネル
７ｄ    端縁
８    後パネル
８ｄ    端縁
１１  胴周り域
１８，１８ａ，１８ｂ    弾性部材
２３，２３ａ，２３ｂ    弾性部材
４２    端部（前端部）
４２ａ  端縁
４２ｂ  側縁
４２ｃ  隅部
４２ｄ  追加の摘持域
４３ｃ  隅部
４３ｄ  追加の摘持域
４３    端部（後端部）
４３ａ  端縁
４３ｂ  側縁
４３ｃ  隅部
７０    ひだ
７１    山部
７２    谷部
８０，８０ａ，８０ｂ    摘持域
【図１】
0005557558.tif 000002
【図２】
0005557558.tif 000003
【図３】
0005557558.tif 000004
【図４】
0005557558.tif 000005
【図５】
0005557558.tif 000006
【図６】
0005557558.tif 000007
【図７】
0005557558.tif 000008
【図８】
0005557558.tif 000009